(57)【特許請求の範囲】
【請求項１】
雄側ハウジングと、雌側ハウジングと、レバーとを備えており、
前記雄側ハウジングは、貫通孔が形成された背壁部と、前記背壁部の外周縁から正面側へ延出したフード部と、前記フード部の内壁面に形成したカムフォロアとを有し、
前記雌側ハウジングは、前記フード部内に収容可能であり、
前記レバーは、前記雌側ハウジングに取り付けられ、前記カムフォロアに係合した状態で初期位置から嵌合位置へ回動することで前記雄側ハウジングと前記雌側ハウジングを嵌合させ、
前記レバーを構成するアーム部が、前記雌側ハウジングの外面と前記フード部の内壁面との間に配され、
前記フード部の内壁面からは受け部が突出し、
前記アーム部には、前記受け部に係止することで前記雄側ハウジングに対する前記雌側ハウジングの姿勢を矯正する矯正用突起が形成され、
前記貫通孔は、前記受け部と対向するように配されて、前記受け部を形成するための型抜き溝を介して前記フード部の正面開口部と連通しており、
前記アーム部には閉塞部が形成され、
前記レバーが嵌合位置にある状態では、前記閉塞部が、前記貫通孔の正面側に配されて前記フード部の正面開口部と前記レバーとの隙間を閉塞するレバー式コネクタ。
【請求項２】
雄側ハウジングと、雌側ハウジングと、レバーとを備えており、
前記雄側ハウジングは、貫通孔が形成された背壁部と、前記背壁部の外周縁から正面側へ延出したフード部と、前記フード部の内壁面に形成したカムフォロアとを有し、
前記雌側ハウジングは、前記フード部内に収容可能であり、
前記レバーは、前記雌側ハウジングに取り付けられ、前記カムフォロアに係合した状態で初期位置から嵌合位置へ回動することで前記雄側ハウジングと前記雌側ハウジングを嵌合させ、
前記レバーを構成するアーム部が、前記雌側ハウジングの外面と前記フード部の内壁面との間に配され、
前記アーム部には、前記レバーが嵌合位置にある状態で前記貫通孔の正面側に配されて前記フード部の正面開口部と前記レバーとの隙間を閉塞する閉塞部が形成され、
前記フード部の内壁面からは受け部が突出し、
前記アーム部の外面には、前記受け部に係止することで前記雄側ハウジングに対する前記雌側ハウジングの姿勢を矯正する矯正用突起が形成され、
前記閉塞部が前記矯正用突起に連なっているレバー式コネクタ。
【請求項３】
前記閉塞部は、弧状をなしている請求項２に記載のレバー式コネクタ。
【請求項４】
前記受け部を形成するために前記フード部の内壁面に形成され、前記貫通孔に連通する型抜き溝と、
前記フード部の内壁面に前記型抜き溝と連通するように形成され、前記矯正用突起を前記フード部の前記正面開口部から前記受け部の背面側へ移動させるための経路を構成する案内溝とを備え、
前記レバーが嵌合位置にある状態では、前記閉塞部が前記案内溝の内部に収容されるようになっている請求項２又は請求項３に記載のレバー式コネクタ。
【請求項５】
前記アーム部のうち前記アーム部の回動中心から最も遠い端部は、前記レバーを回動操作するための操作部となっており、
前記アーム部の外面には、前記閉塞部に連なって前記操作部に向かって延出するリブ状の延長部が形成されている請求項１から請求項４のいずれか１項に記載のレバー式コネクタ。
【請求項６】
雄側ハウジングと、雌側ハウジングと、レバーとを備えており、
前記雄側ハウジングは、貫通孔が形成された背壁部と、前記背壁部の外周縁から正面側へ延出したフード部と、前記フード部の内壁面に形成したカムフォロアとを有し、
前記雌側ハウジングは、前記フード部内に収容可能であり、
前記レバーは、前記雌側ハウジングに取り付けられ、前記カムフォロアに係合した状態で初期位置から嵌合位置へ回動することで前記雄側ハウジングと前記雌側ハウジングを嵌合させ、
前記レバーを構成するアーム部が、前記雌側ハウジングの外面と前記フード部の内壁面との間に配され、
前記アーム部には、前記レバーが嵌合位置にある状態で前記貫通孔の正面側に配されて前記フード部の正面開口部と前記レバーとの隙間を閉塞する閉塞部が形成され、
前記フード部の内壁面には、前記フード部の前記正面開口部と前記貫通孔とを連通させる連通溝が形成されており、
前記レバーが嵌合位置にある状態では、前記閉塞部が前記連通溝の内部に収容されるようになっているレバー式コネクタ。
【発明の詳細な説明】
【技術分野】
【０００１】
本発明は、レバー式コネクタに関するものである。
【背景技術】
【０００２】
特許文献１には、レバーが可動可能に取り付けられた第１コネクタハウジングと、第２コネクタハウジングとを備えたレバー式コネクタが開示されている。第２コネクタハウジングは、正面が開放された外筒壁部と、外筒壁部の背面を閉塞する閉塞壁部とを有している。第１コネクタハウジングを外筒壁部内に収容してレバーを回動させると、レバーに形成されている作用点用突起部が、外筒壁部の内壁面に形成されている突起係合突部に係止することで、両コネクタハウジングが嵌合されるようになっている。
【先行技術文献】
【特許文献】
【０００３】
【特許文献１】特開２０１３−１６１７５９号公報
【発明の概要】
【発明が解決しようとする課題】
【０００４】
突起係合突部は、作用点用突起部が外筒壁部の正面側へ移動しないように係止するものであるから、外筒壁部の背面側に面している。したがって、閉塞壁部には、突起係合突部を金型成型する際に形成される貫通形態の型抜き孔が開口することになる。また、外筒壁部の内面のうち突起係合突部に隣接する領域には、作用点用突起部を突起係合突部に到達させるための移動経路となる突起部案内溝が形成されている。
【０００５】
この突起部案内溝は、型抜き孔と突起係合突部との間の型抜き空間と連通している。そのため、外筒壁部の正面側からピン状の異物が突起部案内溝に進入すると、そのピン状の異物が型抜き空間を通過して型抜き孔を貫通する虞がある。したがって、閉塞壁部の背面に回路基板が接近又は当接して配置される場合には、型抜き孔を貫通したピン状の異物が回路基板に接触することが懸念される。
【０００６】
本発明は上記のような事情に基づいて完成されたものであって、異物の侵入を防止することを目的とする。
【課題を解決するための手段】
【０００７】
本発明は、
貫通孔が形成された背壁部と、前記背壁部の外周縁から正面側へ延出したフード部と、前記フード部の内壁面に形成したカムフォロアとを有する雄側ハウジングと、
前記フード部内に収容可能な雌側ハウジングと、
前記雌側ハウジングに取り付けられ、前記カムフォロアに係合した状態で初期位置から嵌合位置へ回動することで前記雄側ハウジングと前記雌側ハウジングを嵌合させるレバーと、
前記レバーを構成し、前記雌側ハウジングの外面と前記フード部の内壁面との間に配されるアーム部と、
前記アーム部に形成され、前記レバーが嵌合位置にある状態で前記貫通孔の正面側に配されて前記フード部の正面開口部と前記レバーとの隙間を閉塞する閉塞部とを備えているところに特徴を有する。
【発明の効果】
【０００８】
貫通孔の正面側には、フード部の正面開口部とレバーとの隙間を閉塞する閉塞部が存在しているので、フード部内に異物が侵入することを防止できる。
【図面の簡単な説明】
【０００９】
【図１】実施例１においてレバーが嵌合位置にある状態をあらわす雌側コネクタの斜視図
【図２】レバーが嵌合位置に回動して雄側コネクタと雌側コネクタが正規嵌合した状態をあらわす平面図
【図３】図２のＡ−Ａ線断面図
【図４】図２のＢ−Ｂ線断面図
【図５】図３のＣ−Ｃ線断面図
【図６】レバーが初期位置にある状態をあらわす雌側コネクタの斜視図
【図７】レバーが初期位置にあり、雄側コネクタと雌側コネクタが浅く嵌合した状態をあらわす平面図
【図８】図７のＤ−Ｄ線断面図
【図９】図７のＥ−Ｅ線断面図
【図１０】レバーが嵌合位置にある状態をあらわす雌側コネクタの平面図
【図１１】レバーが嵌合位置にある状態をあらわす雌側コネクタの正面図
【図１２】レバーが嵌合位置にある状態をあらわす雌側コネクタの背面図
【図１３】レバーの斜視図
【図１４】雄側コネクタの平面図
【発明を実施するための形態】
【００１０】
本発明は、前記フード部の内壁面から突出する受け部と、前記アーム部の外面に形成され、前記受け部に係止することで前記雄側ハウジングに対する前記雌側ハウジングの姿勢を矯正する矯正用突起とを備え、前記閉塞部が前記矯正用突起に連なっていてもよい。この構成によれば、閉塞部と矯正用突起が連なっているので、矯正用突起を閉塞部によって補強することができる。
【００１１】
本発明は、前記閉塞部は、弧状をなしていてもよい。この構成によれば、閉塞部は、弧状をなすことによって剛性が高められているので、矯正用突起の補強機能に優れている。
【００１２】
本発明は、前記受け部を形成するために前記フード部の内壁面に形成され、前記貫通孔に連通する型抜き溝と、前記フード部の内壁面に前記型抜き溝と連通するように形成され、前記矯正用突起を前記フード部の前記正面開口部から前記受け部の背面側へ移動させるための経路を構成する案内溝とを備え、前記レバーが嵌合位置にある状態では、前記閉塞部が前記案内溝の内部に収容されるようになっていてもよい。  
この構成によれば、案内溝と型抜き溝により、フード部の正面開口部から貫通孔に至る異物侵入経路が構成されることが懸念されるが、レバーが嵌合位置にあるときに、アーム部がフード部に対して正面側へ僅かに相対変位しても、閉塞部が案内溝の内部に収容された状態に保たれるので、フード部内への異物の侵入を防止できる。
【００１３】
本発明は、前記アーム部のうち前記アーム部の回動中心から最も遠い端部は、前記レバーを回動操作するための操作部となっており、前記アーム部の外面には、前記閉塞部に連なって前記操作部に向かって延出するリブ状の延長部が形成されていてもよい。  
この構成によれば、リブ状の延長部によって、アーム部の全体を補強することができるとともに、閉塞部を補強することもできる。
【００１４】
本発明は、前記フード部の内壁面に、前記フード部の前記正面開口部と前記貫通孔とを連通させる連通溝が形成され、前記レバーが嵌合位置にある状態では、前記閉塞部が前記案内溝の内部に収容されるようになっていてもよい。  
この構成によれば、連通溝によって、フード部の正面開口部から貫通孔に至る異物侵入経路が構成されることが懸念される。しかし、レバーが嵌合位置にあるときに、アーム部がフード部に対して正面側へ僅かに相対変位しても、閉塞部が連通溝の内部に収容された状態に保たれるので、フード部内への異物の侵入を防止できる。
【００１５】
＜実施例１＞
以下、本発明を具体化した実施例１を図１〜図１４を参照して説明する。尚、以下の説明において、前後の方向については、図２，７，１０，１４における下方を前方と定義する。上下の方向については、図１，３，４，６，８，９，１１〜１３にあらわれる向きを、そのまま上方、下方と定義する。左右の方向については、図２，３，５，７，８，１０，１１にあらわれる向きを、そのまま左方、右方と定義する。図４，９，１２では、左右が逆向きにあらわれる。
【００１６】
本実施例のレバー式コネクタは、回路基板Ｐの表面に取り付けられる雄側コネクタＭと、雄側コネクタＭと嵌合可能な雌側コネクタＦとを備えて構成されている。本実施例では、回路基板Ｐが水平に設置され、回路基板Ｐの表面が上方に面しているものとする。
【００１７】
＜雄側コネクタＭ＞
雄側コネクタＭは、回路基板Ｐの表面に載置されるように取り付けられる合成樹脂製の雄側ハウジング１０と、雄側ハウジング１０に取り付けられた複数の細長い直線状の雄端子金具２５とを備えて構成されている。
【００１８】
雄側ハウジング１０は、回路基板Ｐに接近して対向するように又は回路基板Ｐに面当たり状に当接するように配される水平な底壁部１１（請求項に記載の背壁部）と、底壁部１１の外周縁から正面方向（本実施例では、上方）に延出した角筒状のフード部１２とを備えている。雄端子金具２５は、底壁部１１を上下に貫通するように取り付けられており、雄端子金具２５の上端側領域は、フード部１２内に収容され、雄端子金具２５の下端部は、底壁部１１の下方で回路基板Ｐに接続されている。
【００１９】
フード部１２の上端は、上面開口部１３（請求項に記載の正面開口部）として全領域が開放されている。周壁部を構成する後面壁１４の内面には、カムフォロア１５が突出形成されている。周壁部を構成する前面壁１６の内面には、図３，８，１４に示すように、上面開口部１３から底壁部１１に向かって延びる第１案内溝１７（請求項に記載の案内溝）と、第１案内溝１７より左方に配されて上面開口部１３から底壁部１１に向かって延びる第２案内溝１８（請求項に記載の連通溝）が、左右対称に形成されている。
【００２０】
同じく前面壁１６の内面には、図３，８に示すように、第１案内溝１７のうち上面開口部１３に臨む上端部を除いた領域に連通する第１型抜き溝１９（請求項に記載の型抜き溝）と、第１型抜き溝１９より左方に配されて第２案内溝１８のうち上面開口部１３に臨む上端部を除いた領域に連通する第２型抜き溝２０（請求項に記載の連通溝）とが、左右対称に形成されている。上下方向における第１型抜き溝１９と第２型抜き溝２０の形成領域は、上面開口部１３より少し下方の位置から、底壁部１１に到達する位置に亘る範囲である。
【００２１】
前面壁１６の内面の上端部（上面開口部１３の近傍位置）には、第１型抜き溝１９の上端に臨む第１受け部２１（請求項に記載の受け部）と、第１受け部２１より左方に配された第２受け部２２とが、左右対称に形成されている。第１受け部２１と第２受け部２２は、後述するレバー３３の矯正用突起３９を係止させることで、両コネクタＦ，Ｍの姿勢の傾きを矯正する機能を発揮する。
【００２２】
底壁部１１には、上下方向において第１受け部２１と対向する第１貫通孔２３（請求項に記載の貫通孔）と、上下方向において第２受け部２２と対向する第２貫通孔２４（請求項に記載の貫通孔）とが、左右対称に形成されている。第１貫通孔２３は、第１案内溝１７と第１型抜き溝１９を介してフード部１２の上面開口部１３と連通している。これにより、フード部１２を正面側から覗いたときには、第１案内溝１７と第１型抜き溝１９を介して第１貫通孔２３を目視することができる。したがって、第１案内溝１７と第１型抜き溝１９は、フード部１２の上面開口部１３から第１貫通孔２３に至る異物侵入経路となり得る。
【００２３】
第２貫通孔２４は、第２案内溝１８と第２型抜き溝２０を介してフード部１２の上面開口部１３と連通している。これにより、フード部１２を正面側から覗いたときには、第２案内溝１８と第２型抜き溝２０を介して第２貫通孔２４を目視することができる。したがって、第２案内溝１８と第２型抜き溝２０は、フード部１２の上面開口部１３から第２貫通孔２４に至る異物侵入経路となり得る。
【００２４】
＜雌側コネクタＦ＞
雌側コネクタＦは、合成樹脂製の雌側ハウジング３０と、複数の雌端子金具（図示省略）と、合成樹脂製のレバー３３とを備えて構成されている。雌側ハウジング３０は、ブロック状をなし、その内部には、複数の雌端子金具が収容されている。雌側ハウジング３０には、その上面の後端縁に沿って左右方向にスリット状に開口する収容空間３１が形成されている。収容空間３１と、雌側ハウジング３０の前面には、一対の支持軸３２が形成されている。
【００２５】
レバー３３は、板厚方向を前後方向に向けた板状をなすカム機能部３４と、板厚方向を前後方向に向けた細長い板状をなすアーム部３６と、操作部３８とを備えた単一部品である。カム機能部３４には、カム溝３５が形成されている。カム機能部３４は、収容空間３１内に収容され、アーム部３６は、雌側ハウジング３０の前面に沿うように配される。
【００２６】
レバー３３は、カム機能部３４とアーム部３６の軸受孔３７を支持軸３２に嵌合させることにより、雌側ハウジング３０に対し初期位置（図１〜４，１０，１１を参照）と嵌合位置（図６〜９を参照）との間で相対回転可能に取り付けられている。操作部３８は、軸受孔３７よりも左方に位置しており、カム機能部３４とアーム部３６の外縁部のうち軸受孔３７から最も遠い端部同士を連結している。
【００２７】
両コネクタＦ，Ｍを嵌合する際には、レバー３３が初期位置にある状態で、雄側コネクタＭの上方から雌側ハウジング３０をフード部１２に浅く嵌入し、カム溝３５の入口にカムフォロア１５を収容する。次に、操作部３８を摘んでレバー３３を嵌合位置側へ回動させると、カムフォロア１５とカム溝３５との係合によるカム作用により、雌側コネクタＦが雄側コネクタＭ側へ引き込まれる。そして、レバー３３が嵌合位置に到達すると、両コネクタＦ，Ｍが正規の嵌合状態となる。
【００２８】
両コネクタＦ，Ｍを嵌合する過程、及び両コネクタＦ，Ｍが正規嵌合した状態では、アーム部３６が、雌側ハウジング３０の前面とフード部１２の前面壁１６との隙間に配され、アーム部３６の少なくとも一部が、雌側ハウジング３０とともにフード部１２の内部に収容される。る。そして、両コネクタＦ，Ｍの嵌合過程では、アーム部３６の長さ方向の両端部のうち、操作部３８とは反対側の端部（軸受孔３７に近い側の端部）が、第１案内溝１７、第１型抜き溝１９及び第１受け部２１に近い位置で変位する。
【００２９】
このアーム部３６における操作部３８と反対側の右端部には、矯正用突起３９が形成されている。矯正用突起３９は、アーム部３６の外周縁から操作部３８（軸受孔３７）とは反対の左方へ突出するとともに、アーム部３６の外面（前面）からフード部１２の前面壁１６に向かって突出した形態である。レバー３３が初期位置にあって雌側ハウジング３０を浅くフード部１２に進入させた状態では、矯正用突起３９は、第１案内溝１７内に収容される。この状態からレバー３３を嵌合位置側へ回動させると、矯正用突起３９が第１受け部２１に接近する。
【００３０】
そして、レバー３３が嵌合位置に到達する直前で、矯正用突起３９が第１受け部２１に対し下側（底壁部１１側）から当接して係止状態となる。このとき、雌側ハウジング３０は雄側ハウジング１０に対して僅かに後方へ傾いた姿勢（つまり、雌側ハウジング３０の前側が雄側ハウジング１０に対して僅かに浮いた姿勢）をとっている。この傾きは、レバー３３のカム溝３５とフード部１２のカムフォロア１５との係合が、両ハウジング１０，３０の後側だけで行われているからである。
【００３１】
矯正用突起３９が第１受け部２１に係止した状態から、レバー３３が更に回動して嵌合位置に到達すると、矯正用突起３９と第１受け部２１との当接部を支点、操作部３８を力点、アーム部３６の軸受孔３７と支持軸３２との嵌合部を作用点とするテコの作用により、雌側ハウジング３０の姿勢の傾きが矯正される。ここで、矯正用突起３９はアーム部３６の外面からフード部１２の前面壁１６側へ突出した形態であるため、第１案内溝１７との対応領域では、アーム部３６の外面と前面壁１６の内面とが矯正用突起３９の突出寸法分だけ離間している。また、両コネクタＦ，Ｍが正規嵌合した状態では、矯正用突起３９が第１受け部２１の下方位置しているため、第１貫通孔２３は、第１型抜き溝１９を介して第１案内溝１７に連通する状態となる。
【００３２】
もし、第１案内溝１７が上面開口部１３においてフード部１２の外部（上方）へ開放されていた場合、第１案内溝１７に侵入した異物が、第１型抜き溝１９を経由して第１貫通孔２３を通過し、回路基板Ｐの表面に到達してしまうことが懸念される。そこで、本実施例では、この対策としてアーム部３６に、第１閉塞部４０（請求項に記載の閉塞部）を形成している。
【００３３】
第１閉塞部４０は、アーム部３６の前面（前面壁１６との対向面）から前面壁１６側へリブ状に突出した形態である。第１閉塞部４０の正面視形状は、図８，１１に示すように、略四半円弧状をなす。第１閉塞部４０の長さ方向における一方（右側）の端部は、矯正用突起３９に連なっている。第１閉塞部４０の長さ方向の全領域は、アーム部３６の外周縁から軸受孔３７側（レバー３３が嵌合位置にある状態では下方）へ離間した領域に配されている。
【００３４】
両コネクタＦ，Ｍが正規嵌合した状態では、第１閉塞部４０が、第１貫通孔２３よりもフード部１２の正面側に配され、第１案内溝１７内に収容される。そして、上面開口部１３のうちアーム部３６と前面壁１６との隙間は、この第１閉塞部４０によって塞がれる。これにより、アーム部３６と前面壁１６との隙間からフード部１２（第１型抜き溝１９）内に異物が侵入することを防止することができる。
【００３５】
また、両コネクタＦ，Ｍが正規嵌合した状態では、第２案内溝１８との対応領域においても、アーム部３６の外面と前面壁１６の内面とが矯正用突起３９の突出寸法分だけ離間している。また、両コネクタＦ，Ｍが正規嵌合した状態では、第２案内溝１８及び第２型抜き溝２０のいずれにも他部材が存在しないので、第２貫通孔２４は、第２型抜き溝２０を介して第２案内溝１８に連通する状態となる。
【００３６】
もし、第２案内溝１８が上面開口部１３においてフード部１２の外部（上方）へ開放されていた場合、第２案内溝１８に侵入した異物が、第２型抜き溝２０を経由して第２貫通孔２４を通過し、回路基板Ｐの表面に到達してしまうことが懸念される。そこで、本実施例では、この対策としてアーム部３６に、第２閉塞部４１（請求項に記載の閉塞部）を形成している。
【００３７】
第２閉塞部４１は、第１閉塞部４０と同じく、アーム部３６の外面（前面壁１６との対向面）から前面壁１６側へリブ状に突出した形態である。第２閉塞部４１の正面視形状は、図３，１１に示すように、上面が開放された方形をなすように屈曲した形状をなす。第２閉塞部４１の全体は、アーム部３６の外周縁から軸受孔３７側（レバー３３が嵌合位置にある状態では下方）へ離間した領域に配されている。
【００３８】
両コネクタＦ，Ｍが正規嵌合した状態では、第２閉塞部４１の下側部分が第２案内溝１８内に嵌合するように収容される。収容された第２閉塞部４１は、上面開口部１３のうちアーム部３６と前面壁１６との隙間を塞ぐので、アーム部３６と前面壁１６との隙間からフード部１２（第２型抜き溝２０）内に異物が侵入することを防止する。
【００３９】
また、アーム部３６には、第１閉塞部４０と第２閉塞部４１とに連なる第１延長部４２（請求項に記載の延長部）と、第２閉塞部４１に連なる第２延長部４３（請求項に記載の延長部）とが形成されている。第１延長部４２は、アーム部３６の前面からリブ状に突出し、両コネクタＦ，Ｍが正規嵌合した状態ではアーム部３６の上端縁よりも下方の位置で水平をなす。第１延長部４２の右端部は、第１閉塞部４０の左端部に対し滑らかに接線状に連なっている。第１延長部４２の左端部は、第２閉塞部４１の右上端部に対し略直角に連なっている。
【００４０】
第２延長部４３は、アーム部３６の前面からリブ状に突出し、両コネクタＦ，Ｍが正規嵌合した状態ではアーム部３６の上端縁よりも下方の位置で水平をなす。第２延長部４３の右端部は、第２閉塞部４１の左上端部に対し略直角に連なっている。第２延長部４３の左端部は、操作部３８に連なっている。したがって、第１延長部４２と第２延長部４３は、アーム部３６の長さ方向において、比較的長い領域に亘って配されていることになる。両コネクタＦ，Ｍが正規嵌合した状態では、第１延長部４２と第２延長部４３は、前面壁１６の前端面に対し接近して対向するように、又は、前面壁１６の前端面に当接するように配される。
【００４１】
上述のように本実施例のレバー式コネクタは、雄側ハウジング１０と、雌側ハウジング３０と、雌側ハウジング３０に取り付けられたレバー３３とを備えている。雄側ハウジング１０は、第１貫通孔２３と第２貫通孔２４が形成された底壁部１１と、底壁部１１の外周縁から上方（正面側）へ延出したフード部１２と、フード部１２の内壁面に形成したカムフォロア１５とを有している。雌側ハウジング３０は、フード部１２内に収容可能となっている。レバー３３は、カムフォロア１５に係合した状態で初期位置から嵌合位置へ回動することで雄側ハウジング１０と雌側ハウジング３０を嵌合させる。
【００４２】
また、レバー式コネクタは、レバー３３を構成し、雌側ハウジング３０の外面とフード部１２（前面壁１６）の内壁面との間に配されるアーム部３６を有する。アーム部３６には、第１閉塞部４０と第２閉塞部４１が形成されている。第１閉塞部４０は、レバー３３が嵌合位置にある状態で第１貫通孔２３の正面側に配されて、フード部１２の上面開口部１３とレバー３３のアーム部３６との隙間を閉塞する。
【００４３】
第２閉塞部４１は、レバー３３が嵌合位置にある状態で第２貫通孔２４の正面側に配されて、フード部１２の上面開口部１３とレバー３３のアーム部３６との隙間を閉塞する。このように、第１貫通孔２３の正面側には、フード部１２の上面開口部１３とレバー３３との隙間を閉塞する第１閉塞部４０が存在し、第２貫通孔２４の正面側には、フード部１２の上面開口部１３とレバー３３との隙間を閉塞する第２閉塞部４１が存在しているので、フード部１２内に異物が侵入することを防止できる。
【００４４】
また、レバー式コネクタは、フード部１２の内壁面から突出する第１受け部２１を有しており、アーム部３６の外面には、第１受け部２１に係止することで雄側ハウジング１０に対する雌側ハウジング３０の姿勢を矯正する矯正用突起３９が形成されている。そして、第１閉塞部４０は矯正用突起３９に連なっている。このように、第１閉塞部４０と矯正用突起３９とが連なっていることにより、矯正用突起３９が第１閉塞部４０によって補強される。また、第１閉塞部４０は、弧状をなすことによって剛性が高められているので、矯正用突起３９を補強する機能に優れている。
【００４５】
また、フード部１２の前面壁１６の内壁面には、第１受け部２１を形成するための第１型抜き溝１９が、第１貫通孔２３に連通するように形成されているとともに、第１型抜き溝１９と連通するように第１案内溝１７が形成されている。第１案内溝１７は、矯正用突起３９をフード部１２の上面開口部１３から第１受け部２１の背面側（下側）へ移動させるための経路を構成している。
【００４６】
そのため、フード部１２の前面壁１６の内壁面には、第１案内溝１７と第１型抜き溝１９によって、フード部１２の上面開口部１３から第１貫通孔２３に至る異物侵入経路が構成されることが懸念される。この対策として、両コネクタＦ，Ｍが正規嵌合してレバー３３が嵌合位置にある状態では、第１閉塞部４０が第１案内溝１７の内部に収容されるようになっている。したがって、レバー３３が嵌合位置にあるときに、アーム部３６がフード部１２に対して上方（正面側）へ浮き上がるように僅かに相対変位しても、第１閉塞部４０が第１案内溝１７の内部に収容された状態に保たれるので、フード部１２内への異物の侵入を防止できる。
【００４７】
また、アーム部３６のうちアーム部３６の回動中心（軸受孔３７）から最も遠い左端部は、レバー３３を回動操作するための操作部３８となっている。そして、アーム部３６の外面（前面）には、第１閉塞部４０と第２閉塞部４１に連なって操作部３８に向かって延出するリブ状の第１延長部４２及び第２延長部４３が形成されている。この構成によれば、リブ状の第１延長部４２及び第２延長部４３によって、アーム部３６の全体を補強することができるとともに、第１閉塞部４０及び第２閉塞部４１を補強することもできる。
【００４８】
また、フード部１２の前面壁１６の内壁面には、フード部１２の上面開口部１３と第２貫通孔２４とを連通させる第２案内溝１８及び第２型抜き溝２０が形成されており、レバー３３が嵌合位置にある状態では、第２閉塞部４１が第２案内溝１８の内部に収容されるようになっている。この構成によれば、第２案内溝１８と第２型抜き溝２０により、フード部１２の上面開口部１３から第２貫通孔２４に至る異物侵入経路が構成されることが懸念される。しかし、レバー３３が嵌合位置にあるときに、アーム部３６がフード部１２に対して上方（正面側）へ浮き上がるように僅かに相対変位しても、第２閉塞部４１が第２案内溝１８の内部に収容された状態に保たれるので、フード部１２内への異物の侵入を防止できる。
【００４９】
＜他の実施例＞
本発明は上記記述及び図面によって説明した実施例に限定されるものではなく、例えば次のような実施例も本発明の技術的範囲に含まれる。  
（１）上記実施例では、第１閉塞部が矯正用突起に連なっているが、閉塞部は、矯正用突起から分離した形態であってもよい。この場合、第１閉塞部は、案内溝内に収容されない形態であってもよい。  
（２）上記実施例では、矯正用突起に連なる第１閉塞部が弧状をなしているが、第１閉塞部は直線状をなしていてもよい。  
（３）上記実施例では、第１閉塞部の長さ方向の全領域が、アーム部の外周縁から内側へ離間した位置に配されているが、第１閉塞部の少なくとも一部が、アーム部の外周縁に沿うように配されていてもよい。  
（４）上記実施例では、第２閉塞部の全体が、アーム部の外周縁から内側へ離間した位置に配されているが、第２閉塞部が、アーム部の外周縁に隣接するように配されてしてもよい。  
（５）上記実施例では、延長部の長さ方向の全領域が、アーム部の外周縁から内側へ離間した位置に配されているが、延長部の少なくとも一部が、アーム部の外周縁に沿うように配されていてもよい。  
（６）上記実施例では、アーム部に延長部を形成したが、アーム部は、延長部を形成しない形態であってもよい。  
（７）上記実施例では、雄側コネクタの底壁部（背壁部）の下面（背面）が、回路基板に接近して対向又は回路基板に面当たり状に当接するように設けられる場合について説明したが、本発明は、背壁部の背面が回路基板に対して直角に配される場合にも適用できる。  
（８）上記実施例では、回路基板に取り付けられる場合について説明したが、本発明は、回路基板に取り付けられない形態（例えば、雄側コネクタの雄端子金具が電線に接続される形態）のレバー式コネクタにも適用できる。
【符号の説明】
【００５０】
１０…雄側ハウジング
１１…底壁部（背壁部）
１２…フード部
１３…上面開口部（正面開口部）
１５…カムフォロア
１７…第１案内溝（案内溝）
１８…第２案内溝（連通溝）
１９…第１型抜き溝（型抜き溝）
２０…第２型抜き溝（連通溝）
２１…第１受け部（受け部）
２３…第１貫通孔（貫通孔）
２４…第２貫通孔（貫通孔）
３０…雌側ハウジング
３３…レバー
３６…アーム部
３８…操作部
３９…矯正用突起
４０…第１閉塞部（閉塞部）
４１…第２閉塞部（閉塞部）
４２…第１延長部（延長部）
４３…第２延長部（延長部）
【図１】
0006607403.tif 000002
【図２】
0006607403.tif 000003
【図３】
0006607403.tif 000004
【図４】
0006607403.tif 000005
【図５】
0006607403.tif 000006
【図６】
0006607403.tif 000007
【図７】
0006607403.tif 000008
【図８】
0006607403.tif 000009
【図９】
0006607403.tif 000010
【図１０】
0006607403.tif 000011
【図１１】
0006607403.tif 000012
【図１２】
0006607403.tif 000013
【図１３】
0006607403.tif 000014
【図１４】
0006607403.tif 000015